(57)【特許請求の範囲】
【請求項１】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部は、利用者により入力される、作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析手段と、を備え、前記画面生成手段は、前記環境解析手段によるシミュレーション結果に基づいて、前記統合ＢＩＭモデル内の前記ＢＩＭパーツが表す前記昇降機の設置位置の周辺における採光環境および照明環境を含む前記レイアウト画面を生成し、前記レイアウト画面には、前記環境オブジェクトとしての太陽が与える物理現象として、前記統合ＢＩＭモデル内での前記昇降機の設置位置の周辺における採光環境の変化、及び、当該採光環境に伴う明るさの変化についてシミュレーションした環境解析結果が反映されていることを特徴とするＢＩＭシステム。
【請求項２】
前記環境解析手段は、
前記建築物の建築特性を示す構造情報、前記昇降機の設置位置、当該設置位置の周囲の採光条件、および、当該設置位置の周囲の照明条件のうち少なくとも一つを含む解析条件に従って、前記統合ＢＩＭモデルの環境をシミュレーションすることを特徴とする請求項１に記載のＢＩＭシステム。
【請求項３】
前記記憶部は、
前記ＢＩＭモデル内で移動可能なヒトオブジェクトに関するヒトオブジェクト情報を記憶するヒトオブジェクト情報記憶手段、
を更に備え、
前記制御部は、
前記画面表示手段により表示された前記レイアウト画面上で、前記ヒトオブジェクト情報記憶手段に記憶された前記ヒトオブジェクト情報に基づいて、前記ヒトオブジェクトを前記統合ＢＩＭモデル内で移動させながら、前記ＢＩＭパーツの動作をシミュレーションする動作解析手段、
を更に備え、
前記画面生成手段は、
前記動作解析手段によるシミュレーション結果に基づいて、前記採光環境および前記照明環境を前記ヒトオブジェクトの視点で表す前記レイアウト画面を生成することを特徴とする請求項１に記載のＢＩＭシステム。
【請求項４】
前記制御部は、
前記環境解析手段によるシミュレーション結果、あるいは、前記環境解析手段および前記動作解析手段によるシミュレーション結果に基づいて、前記採光環境および前記照明環境のうち少なくとも一つに関する照度を評価する照度評価手段と、
前記照度評価手段により評価された前記照度の評価結果が、不足状態または過剰状態を示す場合、前記不足状態または前記過剰状態と評価された前記採光環境および前記照明環境のうち少なくとも一つにおける前記照度に影響する改善項目を特定する改善項目特定手段と、
を更に備え、
前記画面生成手段は、
前記改善項目特定手段により特定された前記改善項目の再検討を要求するメッセージを含む前記レイアウト画面を生成することを特徴とする請求項１から３のうちいずれか一項に記載のＢＩＭシステム。
【請求項５】
前記制御部は、
前記画面表示手段により表示された前記レイアウト画面上で、前記改善項目特定手段により特定された前記改善項目に対する再検討の要求を受け付けた場合、前記照度を前記不足状態または前記過剰状態から、適合状態にさせるように前記改善項目を変更する改善計画を生成する改善計画生成手段、
を更に備え、
前記画面生成手段は、
前記改善計画生成手段により生成された前記改善計画を含む前記レイアウト画面を生成する請求項４に記載のＢＩＭシステム。
【請求項６】
前記制御部は、
前記画面表示手段により表示された前記レイアウト画面上で、前記ＢＩＭモデルおよび前記ＢＩＭパーツのうち少なくとも一つを変更する変更手段、
を更に備えたことを特徴とする請求項１から５のうちいずれか一項に記載のＢＩＭシステム。
【請求項７】
制御部と記憶部とを少なくとも備えたサーバ装置、および、表示部を少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記端末装置へ送信して、当該端末装置の前記表示部に表示させるように制御する画面表示制御手段と、前記画面表示制御手段により表示された前記レイアウト画面上で検出され前記サーバ装置へ送信される検出信号に応じて、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析手段と、を備え、前記画面生成手段は、前記環境解析手段によるシミュレーション結果に基づいて、前記統合ＢＩＭモデル内の前記ＢＩＭパーツが表す前記昇降機の設置位置の周辺における採光環境および照明環境を含む前記レイアウト画面を生成し、前記レイアウト画面には、前記環境オブジェクトとしての太陽が与える物理現象として、前記統合ＢＩＭモデル内での前記昇降機の設置位置の周辺における採光環境の変化、及び、当該採光環境に伴う明るさの変化についてシミュレーションした環境解析結果が反映されていることを特徴とするＢＩＭシステム。
【発明の詳細な説明】
【技術分野】
【０００１】
本発明の実施形態は、ＢＩＭシステムに関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２００９−１５３９７号公報
【発明の概要】
【発明が解決しようとする課題】
【０００４】
本発明が解決しようとする課題は、昇降機の設備計画を提案する際、建築物に昇降機を組み込んだ状態を視覚的に分かりやすく表示することができるＢＩＭシステムを提供することである。
【課題を解決するための手段】
【０００５】
実施形態のＢＩＭシステムは、制御部と記憶部と表示部を少なくとも備える。前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備える。前記制御部は、利用者により入力される、作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析手段と、を備える。ここで、  前記画面生成手段は、前記環境解析手段によるシミュレーション結果に基づいて、前記統合ＢＩＭモデル内の前記ＢＩＭパーツが表す前記昇降機の設置位置の周辺における採光環境および照明環境を含む前記レイアウト画面を生成する。前記レイアウト画面には、前記環境オブジェクトとしての太陽が与える物理現象として、前記統合ＢＩＭモデル内での前記昇降機の設置位置の周辺における採光環境の変化、及び、当該採光環境に伴う明るさの変化についてシミュレーションした環境解析結果が反映されている。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、建築物のＢＩＭモデルに昇降機のＢＩＭパーツを組み込んだ統合ＢＩＭモデルの一例を示す図である。
【図５】図５は、昇降機の設置位置の周辺における採光環境および照明環境を含むレイアウト画面の一例を示す図である。
【図６】図６は、統合ＢＩＭモデル内で移動可能なヒトオブジェクトを含むレイアウト画面の一例を示す図である。
【図７】図７は、採光環境および照明環境をヒトオブジェクトの視点で表すレイアウト画面の一例を示す図である。
【図８】図８は、改善前の照明環境を含むレイアウト画面の一例を示す図である。
【図９】図９は、改善後の照明環境を含むレイアウト画面の一例を示す図である。
【図１０】図１０は、第１の実施形態におけるＢＩＭシステムの基本処理の一例を示すフローチャートである。
【図１１】図１１は、動作解析処理の一例を示すフローチャートである。
【図１２】図１２は、照度評価処理と改善項目特定処理の一例を示すフローチャートである。
【図１３】図１３は、改善計画生成処理の一例を示すフローチャートである。
【図１４】図１４は、変更処理の一例を示すフローチャートである。
【図１５】図１５は、第２の実施形態におけるＢＩＭシステムの構成の一例を示すブロック図である。
【図１６】図１６は、第２の実施形態におけるＢＩＭシステムの基本処理の一例を示すフローチャートである。
【図１７】図１７は、第３の実施形態におけるＢＩＭシステムの構成の一例を示すブロック図である。
【図１８】図１８は、第３の実施形態におけるＢＩＭシステムの基本処理の一例を示すフローチャートである。
【発明を実施するための形態】
【０００７】
以下に、実施形態にかかるＢＩＭシステム、サーバ装置、端末装置、方法及びプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図１４を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する昇降機のＢＩＭパーツを作成し、端末装置１００へ送信する等の機能を有する。
【００１５】
サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１６】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース（設置位置）、寸法、各種付属設備、可動領域、昇降機を構成する必要部材の部材強度、価格、寸法、質量、色、素材、固有振動数といった構造情報の他、納期、在庫状況、据付時間、仕上げ材、耐用年数、メーカ情報、品番型番などが挙げられるが、上記に限定されない。
【００１７】
より具体的には、本実施形態において、パーツ情報は、例えば、後述の制御部１０２によりＢＩＭパーツをＢＩＭモデルに組み込む際等に用いられるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエスカレータである場合には、トラス、踏段、踏段チェーン、移動手摺、乗降板、欄干、駆動装置、機械室、制御盤、電源設備、各種配線配管等が挙げられる。また、ＢＩＭパーツを構成する各ユニットとしては、例えば、昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。
【００１８】
また、パーツ情報は、例えば、後述の制御部１０２の処理により統合ＢＩＭモデルの環境をシミュレーションする際等に用いられるＢＩＭパーツの各種機器の機器設定情報等を含む。機器設定情報は、各種機器の設定に関する情報であり、例えば、昇降機が備える照明機器や空調機器等の設置位置、設置個数、仕様、メーカ情報、品番型番等のうち少なくとも１つを含む。また、パーツ情報は、例えば、後述の制御部１０２によりＢＩＭパーツをＢＩＭモデルに組み込んだ統合ＢＩＭモデルの動作を解析する際に用いられるＢＩＭパーツの動作パラメータを含む。ここで、動作パラメータは、昇降機の動作速度、動作パターン等を規定するパラメータである。また、パーツ情報は、例えば、後述の制御部１０２によりＢＩＭパーツを変更する際に用いられる設定パラメータを含む。ここで、設定パラメータは、ＢＩＭパーツを構成する各ユニットのサイズ、色、材質等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１９】
図２において、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００２０】
このうち、作成条件受信部２０２ａは、端末装置１００から送信される作成条件を受信する作成条件受信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性、昇降機に設置する照明機器等のうちの少なくとも１つを含んでもよい。また、作成条件は、利用者により端末装置１００において入力部１１８を介して入力されたものであってもよいし、予め作成条件が記憶された外部記憶装置（図示せず）から読み込まれたものであってもよい。
【００２１】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエスカレータの３次元のＢＩＭパーツを作成する。ここで、図３は、昇降機のＢＩＭパーツの一例を示す図である。図３では、機種別に作成された３台のエスカレータのＢＩＭパーツが示されている。
【００２２】
昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。昇降機モデリング部２０２ｂは、作成した昇降機のＢＩＭパーツを記憶部２０６に格納して、ＢＩＭパーツデータベース（図示せず）を構築してもよい。
【００２３】
また、情報提供部２０２ｃは、昇降機モデリング部２０２ｂにより作成された昇降機のＢＩＭパーツ等を含むサーバ装置２００の計算結果を端末装置１００へ送信する情報提供手段である。ここで、情報提供部２０２ｅは、複数のＢＩＭパーツを含む計算結果を端末装置１００へ送信してもよい。
【００２４】
［端末装置１００の構成］
図２において、端末装置１００は、サーバ装置２００へＢＩＭパーツを作成するのに必要な作成条件を送信し、作成条件にしたがって作成されたＢＩＭパーツをサーバ装置２００から受信する等の機能を有する。また、端末装置１００は、サーバ装置２００から受信したＢＩＭパーツを少なくとも含むレイアウト画面を生成し、当該レイアウト画面を表示部１１４に表示させる等の機能を有する。また、端末装置１００は、レイアウト画面上で統合ＢＩＭモデルの環境をシミュレーションする機能（環境解析機能）や、昇降機やヒトの動作をシミュレーションする機能（動作解析機能）等を有する。ここで、端末装置１００は、環境解析のシミュレーション結果に基づいて、統合ＢＩＭモデル内のＢＩＭパーツが表す昇降機の設置位置の周辺における採光環境および照明環境を含むレイアウト画面を生成する。
【００２５】
端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、インターネットブラウザ等を搭載していてもよく、ＢＩＭアプリケーション等を搭載していてもよい。端末装置１００は、表示部１１４と音声出力部１１６とを少なくとも含む出力部を備えていてもよい。端末装置１００は、データ入力等を行う入力部１１８を備えていてもよい。
【００２６】
図２において、表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００２７】
図２において、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。ネットワーク３００は、端末装置１００およびサーバ装置２００と、図示しない外部機器または外部システム（例えば、ＢＩＭモデルデータベースサーバ等として機能する外部のデータベース装置など）とを相互に接続する機能を有し、例えば、インターネット、電話回線網（携帯端末回線網および一般電話回線網等）、イントラネット、または、電力線通信（ＰＬＣ）等であってもよい。
【００２８】
図２において、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ、環境情報データベース１０６ｂ、および、ヒトオブジェクト情報データベース１０６ｃ等）を格納してもよい。記憶部１０６は、各種のファイル等を一時的に記憶するものであってもよい。
【００２９】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数、各種付属設備、各種配線配管、建築物が備える照明機器や空調機器等の設置位置、設置個数、仕様、メーカ情報、品番型番等、各種機器の設定等の情報のうちの少なくとも１つを含む構造情報が含まれるが、これに限定されない。本実施形態において構造情報には、採光条件や照明条件が含まれていてもよい。ここで、採光条件は、例えば、窓との距離、窓の大きさ、窓ガラスの種類等とった採光環境に影響を与える条件である。また、照明条件は、例えば、照明機器の取り付け場所、ワット数、個数等といった照明環境に影響を与える条件である。この他、構造情報は、例えば、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁等が挙げられる。本実施形態において、上述の昇降機モデリング部２０２ｂによりＢＩＭパーツを作成する際や、後述の制御部１０２の処理により統合ＢＩＭモデルの環境をシミュレーションする際等に、上述の構造情報が参照される。
【００３０】
環境情報データベース１０６ｂは、建築物のＢＩＭモデル内外の環境に影響を及ぼす外的因子の環境情報を記憶する。建築物のＢＩＭモデルの環境情報は、ＢＩＭモデルが示す建築物の内外の環境を定義する情報であり、例えば、建築物の内外の各種静的な環境条件、動的な環境条件等に関する情報を含む。環境条件は、例えば、ＢＩＭモデルが示す建築物の地理条件、天候・気候条件、日照条件、風速条件、寒冷条件、湿度条件、塩害条件等の情報のうちの少なくとも１つを含むが、これに限られない。また、建築物のＢＩＭモデルの環境情報は、例えば、建築物のＢＩＭモデル内外の環境に影響を及ぼす環境オブジェクトに関する環境オブジェクト情報を含む。環境オブジェクトに関する環境オブジェクト情報は、環境オブジェクトを模した３次元モデルを構築するための形状データの他、例えば、各環境オブジェクトの移動条件や経時変化条件、環境オブジェクトが与える物理現象（温度変化、明るさの変化等）についての物理現象条件等に関する情報のうちの少なくとも１つを含む。ここで、環境オブジェクトは、ＢＩＭモデルが示す建築物の内外の環境に影響を及ぼす物体であり、例えば、太陽、月、樹木、人工物、各種地形等の他、東西南北を示す方位記号等のうちの少なくとも１つを含んでもよい。環境情報は、外部記憶装置（図示せず）から読み込まれたものであってもよいし、入力部１１８を介して格納されたものであってもよいし、ネットワーク３００を介して格納されたものであってもよい。本実施形態において、後述の制御部１０２の処理により統合ＢＩＭモデルの環境をシミュレーションする際等に、上述の環境情報が参照される。
【００３１】
ヒトオブジェクト情報データベース１０６ｃは、建築物のＢＩＭモデル内で移動可能なヒトオブジェクトに関するヒトオブジェクト情報を記憶するヒトオブジェクト情報記憶手段である。ヒトオブジェクト情報は、所定条件に従って移動可能なヒトを模した３次元モデルを定義する情報である。ヒトオブジェクト情報は、ヒトを模した３次元モデルを構築するための形状データの他、各ヒトオブジェクトについて出発地と目的地とを少なくとも含む移動条件を含む。ここで、移動条件は、ヒトオブジェクトの数、経由地、移動手段（例えば、階段利用、昇降機（エレベータ、乗客コンベア（エスカレータまたは動く歩道を含む））利用等）、出発時刻、経由時刻、到着時刻、移動速度、利用移動経路、および、移動パターンのうち少なくとも１つを含んでいてもよい。また、ヒトオブジェクト情報は、ＢＩＭモデルデータベース１０６ａに記憶された建築物のＢＩＭモデル内の経路網を規定するネットワークデータとしてＢＩＭモデル内ネットワークデータを更に含む。ＢＩＭモデル内ネットワークデータは、例えば、建築物内の店舗、会社、事務所、およびトイレ等の出入口、エレベータおよびエスカレータの乗降口、階段の出入口等の、通路等を接続する結節点であるノードのノードデータと、ノード間を接続する通路、階段、動く歩道、エスカレータ、および、エレベータ等であるリンクのリンクデータとの組み合わせによって表現されるネットワークデータである。
【００３２】
図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、情報取得部１０２ｂ、統合モデリング部１０２ｃ、画面生成部１０２ｄ、画面表示部１０２ｅ、環境解析部１０２ｆ、動作解析部１０２ｇ、照度評価部１０２ｈ、改善項目特定部１０２ｉ、改善計画生成部１０２ｊ、および、変更部１０２ｋを備える。
【００３３】
このうち、作成条件送信部１０２ａは、利用者により入力される作成条件をサーバ装置２００へ送信する作成条件送信手段である。ここで、作成条件は、利用者が所望する昇降機の仕様等を示す条件である。つまり、作成条件は、建築物のＢＩＭモデルに組込可能な昇降機のＢＩＭパーツを作成するための条件を指定する。作成条件は、利用者により入力部１１８を介して入力されたものであってもよいし、予め作成条件が記憶された外部記憶装置（図示せず）から読み込まれたものであってもよい。
【００３４】
また、情報取得部１０２ｂは、サーバ装置２００から送信される作成条件に対応するＢＩＭパーツ等を含む計算結果を受信する情報取得手段である。ここで、情報取得部１０２ｂは、複数のＢＩＭパーツを含む計算結果をサーバ装置２００から受信してもよい。
【００３５】
また、統合モデリング部１０２ｃは、情報取得部１０２ｂにより受信されたＢＩＭパーツを、ＢＩＭモデルデータベース１０６ａに記憶された建築物のＢＩＭモデルに組み込んだ統合ＢＩＭモデルを作成する統合モデリング手段である。統合モデリング部１０２ｃは、情報取得部１０２ｂにより受信されたＢＩＭパーツを、ＢＩＭモデル内の設置位置に設置することで、統合ＢＩＭモデルを作成する。例えば、統合モデリング部１０２ｃは、図４に示すようなエスカレータのＢＩＭパーツを建築物のＢＩＭモデルに組み込んだ統合ＢＩＭモデルを作成する。ここで、図４は、建築物のＢＩＭモデルに昇降機のＢＩＭパーツを組み込んだ統合ＢＩＭモデルの一例を示す図である。図４では、建築物の完成時におけるエスカレータの設置状態を示す統合ＢＩＭモデルの一部が示されている。ここで、統合モデリング部１０２ｃは、作成した統合ＢＩＭモデルを記憶部１０６に格納して、統合ＢＩＭモデルデータベース（図示せず）を構築してもよい。
【００３６】
また、画面生成部１０２ｄは、統合モデリング部１０２ｃにより作成された統合ＢＩＭモデルを含むレイアウト画面を生成する画面生成手段である。本実施形態において、画面生成部１０２ｄは、後述する環境解析部１０２ｆによるシミュレーション結果に基づいて、図５に示すように、統合ＢＩＭモデル内のＢＩＭパーツが表す昇降機の設置位置の周辺における採光環境および照明環境を含むレイアウト画面を生成する。図５は、昇降機の設置位置の周辺における採光環境および照明環境を含むレイアウト画面の一例を示す図である。図５のレイアウト画面には、環境オブジェクトとしての太陽が与える物理現象として、統合ＢＩＭモデル内での昇降機の設置位置の周辺における採光環境の変化、それに伴う明るさの変化等についてシミュレーションした環境解析結果が反映されている。
【００３７】
一例として、図５に示す採光環境は、太陽が東側に位置するときに建築物の２階の東側に設置された窓からエスカレータ周辺に注がれる太陽光の範囲を示している。昇降機の設置位置の周辺における採光環境は、環境オブジェクト側の各種条件によっても変化するが、建築物側の採光条件、照明条件等によっても変化する。採光条件は、例えば、窓との距離、窓の大きさ、窓ガラスの種類等といった採光環境に影響を与える条件である。照明条件は、例えば、照明機器の取り付け場所、ワット数、個数等といった照明環境に影響を与える条件である。一例として、図５に示す建築物の１階の照明環境は、１階の天井面に設置される照明機器から、２階と１階を繋ぐ階段周辺の床面に注がれる照明光の範囲を示している。また、２階の照明環境は、２階の天井面に設置される照明機器から、２階と１階を繋ぐ階段周辺の床面およびこの階段の一部に注がれる照明光の範囲を示している。なお、図５において、建築物の２階部分では、２階の天井面に設置される照明機器から階段周辺に照明光が注がれており、かつ、建築物の２階の東側に設置された窓からエスカレータと階段周辺に太陽光が注がれている状態が示されている。つまり、図５において、建築物の２階部分では、採光環境と照明環境とがある時間帯において重複している状態が示されている。この重複部分の照度は、重複していない場所の照度に比べて比較的高い。
【００３８】
また、画面生成部１０２ｄは、後述する動作解析部１０２ｇによるシミュレーション結果に基づいて、図６に示すように、統合ＢＩＭモデル内で移動可能なヒトオブジェクトを含むレイアウト画面を生成してもよい。図６は、統合ＢＩＭモデル内で移動可能なヒトオブジェクトを含むレイアウト画面の一例を示す図である。図６では、窓の付近に設置された照明付きのエスカレータを利用して移動するヒトオブジェクトが示されている。
【００３９】
ここで、画面生成部１０２ｄは、後述する環境解析部１０２ｆおよび動作解析部１０２ｇによるシミュレーション結果に基づいて、図７に示すように、採光環境および照明環境をヒトオブジェクトの視点で表すレイアウト画面を生成してもよい。図７は、採光環境および照明環境をヒトオブジェクトの視点で表すレイアウト画面の一例を示す図である。図７では、窓の付近に設置された照明付きのエスカレータを利用して移動するヒトオブジェクトの視点で、統合ＢＩＭモデル内の採光環境および照明環境が示されている。図７の左側には窓からの太陽光に基づく採光環境が示されており、図７の右側にはエスカレータに設置された照明機器からの照明光に基づく照明環境が示されている。
【００４０】
更に、画面生成部１０２ｄは、図８に示すように、後述する改善項目特定部１０２ｉにより特定された改善項目の再検討を要求するメッセージを含むレイアウト画面を生成してもよい。図８は、改善前の照明環境を含むレイアウト画面の一例を示す図である。図８では、窓の付近に設置されたエスカレータの周囲の統合ＢＩＭモデルの一部が示されている。図８の左側の天井面には照明機器が設置されているため、図８の左側の床面には照明環境が確保されている。また、図８の左上には窓が設置されているため、図８の中央部分の階段には採光環境が確保されている。しかし、図８の右側のエスカレータが設置されている部分には、照明機器が設置されていないため、この部分には照明環境が確保されていない。そのため、図８のレイアウト画面には、改善項目特定部１０２ｉにより特定された改善項目の再検討を要求するメッセージとして、例えば「エスカレータ付近の照度が不足しています。照明を追加しますか？」との表示がされている。
【００４１】
ここで、画面生成部１０２ｄは、図９に示すように、後述する改善計画生成部１０２ｊにより生成された改善計画を含むレイアウト画面を生成してもよい。図９は、改善後の照明環境を含むレイアウト画面の一例を示す図である。図９では、図８に対応する位置における統合ＢＩＭモデルの一部が示されている。図８のレイアウト画面と異なり、図９のレイアウト画面には、図９の右側のエスカレータが設置されている部分の天井面に照明機器が設置されているため、この部分の照明環境は確保されている。
【００４２】
また、画面表示部１０２ｅは、画面生成部１０２ｄにより生成されたレイアウト画面を表示部１１４に表示させる画面表示手段である。
【００４３】
また、環境解析部１０２ｆは、画面表示部１０２ｅにより表示されたレイアウト画面上で、環境情報データベース１０６ｂに記憶された環境情報に基づいて、統合ＢＩＭモデルの環境をシミュレーションする環境解析手段である。具体的には、環境解析部１０２ｆは、画面表示部１０２ｅにより表示されたレイアウト画面上で、環境情報データベース１０６ｂに記憶された環境情報に含まれる、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする。本実施形態において、環境解析部１０２ｆは、利用者により入力される、建築物の建築特性を示す構造情報、昇降機の設置位置、当該設置位置の周囲の採光条件、および、当該設置位置の周囲の照明条件のうち少なくとも一つを含む解析条件に従って、統合ＢＩＭモデルの環境をシミュレーションする。環境解析部１０２ｆは、ＢＩＭモデルデータベース１０６ａに記憶されているＢＩＭモデルの構造情報に含まれる各種機器の設定に関する情報、環境情報データベース１０６ｂに記憶された環境情報に含まれる環境条件等に関する情報及び環境オブジェクト情報、情報取得部１０２ｂによって受信されるＢＩＭパーツのパーツ情報に含まれる機器設定情報等に基づいて、レイアウト画面上で、統合ＢＩＭモデルの環境をシミュレーションする。
【００４４】
例えば、環境解析部１０２ｆは、図５に例示するように、レイアウト画面上の統合ＢＩＭモデルにおいて、統合ＢＩＭモデルの日照条件についてシミュレーションする。この場合、環境解析部１０２ｆは、例えば、環境オブジェクト情報に基づいて、環境オブジェクトとして太陽の位置、東西南北を示す方位記号を、統合ＢＩＭモデルを含むレイアウト画面とともに表示部１１４に表示し、時間帯に応じて太陽の位置を変化させながら、統合ＢＩＭモデルの環境をシミュレーションする。環境解析部１０２ｆは、時間帯だけでなく、夏至の太陽の位置、冬至の太陽の位置等、季節に応じて太陽の位置を変化させてシミュレーションしてもよい。あわせて、環境解析部１０２ｆは、環境オブジェクトが環境に与える物理現象（温度の変化、明るさの変化等）についてシミュレーションしてもよい。すなわち、環境解析部１０２ｆは、環境オブジェクトである太陽が与える物理現象として、例えば、図５に例示するように、統合ＢＩＭモデルを含むレイアウト画面上で、統合ＢＩＭモデル内での採光環境の変化、それに伴う明るさの変化等についてシミュレーションし、表示してもよい。また、環境解析部１０２ｆは、環境オブジェクトである太陽が環境に与える物理現象として、例えば、統合ＢＩＭモデルを含むレイアウト画面上で、日照による昇降路内の温度変化（温度上昇）についてシミュレーションしてもよい。また、環境解析部１０２ｆは、環境オブジェクト情報に基づいて、統合ＢＩＭモデルを含むレイアウト画面とともに、環境オブジェクトとして月、樹木、人工物、各種地形等を表示部１１４に表示し、時間帯、季節等に応じてこれら月、樹木、人工物、各種地形等を変化させながら、統合ＢＩＭモデルの環境をシミュレーションするようにしてもよい。この他、環境解析部１０２ｆは、レイアウト画面上の統合ＢＩＭモデルにおいて、統合ＢＩＭモデルの地理条件、天候・気候条件、風速条件、寒冷条件、湿度条件、塩害条件等についてシミュレーションするようにしてもよい。
【００４５】
また、動作解析部１０２ｇは、画面表示部１０２ｅにより表示されたレイアウト画面上で、ヒトオブジェクト情報データベース１０６ｃに記憶されたヒトオブジェクト情報に基づいて、ヒトオブジェクトを統合ＢＩＭモデル内で移動させながら、ＢＩＭパーツの動作をシミュレーションする動作解析手段である。本実施形態において、動作解析部１０２ｇは、画面表示部１０２ｅにより表示されたレイアウト画面上で、昇降機のＢＩＭパーツに含まれるパーツ情報が示すＢＩＭパーツの動作パラメータに基づいて、昇降機のＢＩＭパーツの動作をシミュレーションする。ここで、動作パラメータは、昇降機の台数、定員、動作速度、動作パターン等を規定するパラメータである。また、本実施形態において、動作解析部１０２ｇは、画面表示部１０２ｅにより表示されたレイアウト画面上で、利用者に入力される移動条件に基づいて生成された移動経路上でヒトオブジェクトを移動させることにより、当該ヒトオブジェクトの移動をシミュレーションする。ここで、動作解析部１０２ｇは、利用者に入力される移動条件に応じて、ヒトオブジェクトの出発地、目的地、移動速度、数、利用移動経路、および、移動パターンのうち少なくとも１つを変更してもよい。例えば、動作解析部１０２ｇは、画面表示部１０２ｅにより表示されたレイアウト画面上で、昇降機のＢＩＭパーツを移動手段として利用させながら、ヒトオブジェクトを移動させることで、統合ＢＩＭモデル内におけるヒトオブジェクトの移動をシミュレーションする。
【００４６】
また、照度評価部１０２ｈは、環境解析部１０２ｆによるシミュレーション結果、あるいは、環境解析部１０２ｆおよび動作解析部１０２ｇによるシミュレーション結果に基づいて、採光環境および照明環境のうち少なくとも一つに関する照度を評価する照度評価手段である。本実施形態において、照度評価部１０２ｈは、照度を不足状態、適合状態、または、過剰状態のいずれかに評価する。ここで、不足状態とは、対象の採光環境または照明環境の照度が、予め設定された第１閾値未満である状態をいう。また、適合状態とは、対象の採光環境または照明環境の照度が、予め設定された第１閾値以上であり、かつ、当該第１閾値より大きい第２閾値未満である状態をいう。また、過剰状態とは、対象の採光環境または照明環境の照度が、第２閾値以上である状態をいう。この他、照度評価部１０２ｈは、対象の採光環境または照明環境以外であって、統合ＢＩＭモデル内で利用者により選択された領域についても、照度を評価してもよい。図示しないが、照度評価部１０２ｈは、照度評価結果を領域毎に記憶部１０６に格納して照度評価記憶手段を構成してもよい。なお、照度評価部１０２ｈは、当該技術分野において既知の評価閾値および評価手法を用いて照度を評価するものとする。
【００４７】
例えば、照度評価部１０２ｈは、図５に示すような、環境解析部１０２ｆによるシミュレーション結果が反映されたレイアウト画面上で、利用者により選択された採光環境および照明環境のうち少なくとも一つについて、照度が不足状態にあるか、適合状態にあるか、または、過剰状態にあるかを評価する。一例として、照度評価部１０２ｈは、図５に示すようなレイアウト画面上で、採光環境と照明環境とが重複している２階の階段周辺の照度が第２閾値以上である場合、照度が過剰状態にあると評価する。また、照度評価部１０２ｈは、図５に示すようなレイアウト画面上で、１階の天井面に設置されている照明機器のワット数が低いため、この照明機器の照明光による１階の照明環境における照度が、第１閾値未満である場合、照度が不足状態にあると評価する。また、照度評価部１０２ｈは、図５に示すようなレイアウト画面上で、２階の窓からエスカレータに自然光が注がれている採光環境であって照明環境と重複しない部分の照度が、第１閾値以上でありかつ第２閾値未満である場合、照度が適合状態にあると評価する。ここで、第１閾値および第２閾値は、例えば、各種法規、用途に応じて要求される照度、環境工学等の見地などを踏まえて任意の値に設定すればよい。
【００４８】
また、照度評価部１０２ｈは、図７に示すような、環境解析部１０２ｆによるシミュレーション結果および動作解析部１０２ｇによるシミュレーション結果の両方が反映されたレイアウト画面上で、利用者により選択された採光環境および照明環境のうち少なくとも一つについて、照度が不足状態にあるか、適合状態にあるか、または、過剰状態にあるかを評価する。一例として、照度評価部１０２ｈは、図７に示すようなレイアウト画面上で、エスカレータを利用した場合のヒトオブジェクトの視点で、照度評価を行う。ヒトオブジェクトの視点は、前方を見る、天上を見上げる、床に視線を落とすなどの視点に設定可能である。例えば、照度評価部１０２ｈは、図７に示すような、ヒトオブジェクトの前方を見る視点で表示されるレイアウト画面上に含まれる採光環境および照明環境のうち少なくとも一つについて、照度評価を行う。このとき、照度評価部１０２ｈは、ヒトオブジェクトの視点が、天井を見上げる視点、または、床に視線を落とす視点に変更された場合、変更された視点で表示されるレイアウト画面上に含まれる採光環境および照明環境のうち少なくとも一つについて、照度評価を行う。この他、照度評価部１０２ｈは、ヒトオブジェクトの視点で表示されるレイアウト画面上で、利用者に照度評価を所望する領域を選択させた場合、当該選択された領域について照度評価を行ってもよい。
【００４９】
また、改善項目特定部１０２ｉは、照度評価部１０２ｈにより評価された照度の評価結果が、不足状態または過剰状態を示す場合、不足状態または過剰状態と評価された採光環境および照明環境のうち少なくとも一つにおける照度に影響する改善項目を特定する改善項目特定手段である。例えば、改善項目特定部１０２ｉは、不足状態または過剰状態と評価された対象が採光環境であれば、窓との距離、窓の大きさ、窓ガラスの種類等といった採光環境に影響を与える改善項目を特定する。また、改善項目特定部１０２ｉは、不足状態または過剰状態と評価された対象が照明環境であれば、照明機器の取り付け場所、ワット数、個数等といった照明環境に影響を与える改善項目を特定する。この他、改善項目特定部１０２ｉは、対象の採光環境または照明環境以外であって、統合ＢＩＭモデル内で利用者により選択された領域についての改善項目を特定してもよい。図示しないが、改善項目特定部１０２ｉは、特定した改善項目を記憶部１０６に格納して改善項目記憶手段を構成してもよい。
【００５０】
一例として、上述の照度評価部１０２ｈにより、図８に示すレイアウト画面上で、図８の右側のエスカレータが設置されている部分には照明機器が設置されておらず、この部分には照明環境が確保されていないため、照度が不足状態にあると評価された場合を例示する。この場合、改善項目特定部１０２ｉは、この照明環境が確保されていない領域について、エスカレータ付近の照度が不足しているため照明機器を追加するように、照明環境に影響を与える改善項目を特定する。このとき、上述の画面生成部１０２ｄは、改善項目特定部１０２ｉにより特定された改善項目の再検討を要求するメッセージ「エスカレータ付近の照度が不足しています。照明を追加しますか？」を含むレイアウト画面を生成する。そして、上述の画面表示部１０２ｅは、このメッセージを含むレイアウト画面を表示する。
【００５１】
また、改善計画生成部１０２ｊは、画面表示部１０２ｅにより表示されたレイアウト画面上で、改善項目特定部１０２ｉにより特定された改善項目に対する再検討の要求を受け付けた場合、照度を不足状態または過剰状態から、適合状態にさせるように改善項目を変更する改善計画を生成する改善計画生成手段である。例えば、改善計画生成部１０２ｊは、改善項目特定部１０２ｉにより、照度が不足状態または過剰状態にある対象の採光環境に対する改善項目が特定された場合、特定結果に基づいて、対象の採光環境の照度が第１閾値以上かつ第２閾値未満となるように、窓との距離の増減、窓の大きさの増減、窓ガラスの種類の変更等の調整をする改善計画を生成する。また、改善計画生成部１０２ｊは、改善項目特定部１０２ｉにより、照度が不足状態または過剰状態にある対象の照明環境に対する改善項目が特定された場合、特定結果に基づいて、対象の照明環境の照度が第１閾値以上かつ第２閾値未満となるように、照明機器の取り付け場所の変更、ワット数の変更、個数の増減、照明機器の種類の変更等の調整をする改善計画を生成する。図示しないが、改善計画生成部１０２ｊは、生成した改善計画を記憶部１０６に格納して改善計画記憶手段を構成してもよい。
【００５２】
一例として、上述の改善項目特定部１０２ｉにより、図８に示すレイアウト画面上で、図８の右側のエスカレータ部分の照明環境が確保されていない領域について照明環境に影響を与える改善項目が特定された場合を例示する。この場合、改善計画生成部１０２ｊは、図８のレイアウト画面上で表示したメッセージに対して、利用者が入力部１１８等を介して再検討を要求した場合、改善項目特定部１０２ｉによる特定結果に基づく改善計画として、図９の右側のエスカレータが設置されている部分の天井面に照明機器を追加する改善計画を生成する。このとき、上述の画面生成部１０２ｄは、改善計画生成部１０２ｊにより生成された改善計画に基づいて、図９に示すように、エスカレータが設置されている部分の天井面に照明機器を設置して照明環境を新たに確保した状態を示すレイアウト画面を生成する。そして、上述の画面表示部１０２ｅは、図９の右側に示すように照明機器を設置して照明環境を新たに確保した状態を示すレイアウト画面を表示する。
【００５３】
また、変更部１０２ｋは、画面表示部１０２ｅにより表示されたレイアウト画面上で、ＢＩＭモデルおよびＢＩＭパーツのうち少なくとも一つを変更する変更手段である。具体的には、変更部１０２ｋは、画面表示部１０２ｅにより表示されたレイアウト画面上で検出された変更操作に応じて決定される変更条件に従って、ＢＩＭモデルデータベース１０６ａに記憶されているＢＩＭモデルに含まれる構造情報を変更することで、建築物のＢＩＭモデルを変更する。また、変更部１０２ｋは、画面表示部１０２ｅにより表示されたレイアウト画面上で検出された変更操作に応じて決定される変更条件に従って、ＢＩＭパーツに含まれるパーツ情報の設定パラメータを変更することで、昇降機のＢＩＭパーツを変更する。またこれにより、変更部１０２ｋは、変更条件に応じて、ＢＩＭモデルおよびＢＩＭパーツの各種機器の機器設定を変更することもできる。
【００５４】
以上で、第１の実施形態におけるＢＩＭシステムの構成の一例の説明を終える。
【００５５】
［第１の実施形態におけるＢＩＭシステムの処理］
このように構成された第１の実施形態におけるＢＩＭシステムの処理の一例について、以下に図１０乃至図１４を参照して詳細に説明する。ここで、図１０は、第１の実施形態におけるＢＩＭシステムの基本処理の一例を示すフローチャートである。
【００５６】
図１０に示すように、端末装置１００の作成条件送信部１０２ａは、利用者により入力される作成条件をサーバ装置２００へ送信する（ステップＳＡ−１）。
【００５７】
そして、サーバ装置２００の作成条件受信部２０２ａは、ステップＳＡ−１にて作成条件送信部１０２ａの処理により送信される作成条件を受信する（ステップＳＡ−２）。
【００５８】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。
【００５９】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００６０】
そして、端末装置１００の情報取得部１０２ｂは、ステップＳＡ−４にて情報提供部２０２ｃの処理によりサーバ装置２００から送信された昇降機のＢＩＭパーツを受信する（ステップＳＡ−５）。
【００６１】
そして、端末装置１００の統合モデリング部１０２ｃは、ステップＳＡ−５にて情報取得部１０２ｂの処理により受信された昇降機のＢＩＭパーツを、ＢＩＭモデルデータベース１０６ａに記憶された建築物のＢＩＭモデルに組み込んだ統合ＢＩＭモデルを作成する（ステップＳＡ−６）。
【００６２】
そして、端末装置１００の画面生成部１０２ｄは、ステップＳＡ−６にて統合モデリング部１０２ｃの処理により作成された統合ＢＩＭモデルを含むレイアウト画面を生成する（ステップＳＡ−７）。このステップＳＡ−７において、画面生成部１０２ｄは、例えば、図４に示すようなエスカレータのＢＩＭパーツを建築物のＢＩＭモデルに組み込んだ統合ＢＩＭモデルを含むレイアウト画面を生成する。
【００６３】
そして、端末装置１００の画面表示部１０２ｅは、ステップＳＡ−７にて画面生成部１０２ｄの処理により生成されたレイアウト画面を表示部１１４に表示させる（ステップＳＡ−８）。このステップＳＡ−８において、画面表示部１０２ｅは、例えば、図４に示すようなエスカレータのＢＩＭパーツを建築物のＢＩＭモデルに組み込んだ３次元の統合ＢＩＭモデルを含むレイアウト画面を表示部１１４に表示させる。
【００６４】
そして、端末装置１００の制御部１０２は、環境解析のシミュレーションを実行する環境解析モードがＯＮ状態であるか否かを判定する（ステップＳＡ−９）。
【００６５】
ステップＳＡ−９において、制御部１０２の処理により環境解析モードがＯＮ状態であると判定された場合（ステップＳＡ−９：Ｙｅｓ）、端末装置１００の環境解析部１０２ｆは、ステップＳＡ−８にて画面表示部１０２ｅの処理により表示されたレイアウト画面上で、環境情報データベース１０６ｂに記憶された環境情報に含まれる、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする（ステップＳＡ−１０）。
【００６６】
そして、ステップＳＡ−１０の処理を実行開始後、ステップＳＡ−７の処理へ移行し、端末装置１００の画面生成部１０２ｄは、ステップＳＡ−１０にて環境解析部１０２ｆの処理によるシミュレーション結果に基づいて、図５に示すように、統合ＢＩＭモデル内のＢＩＭパーツが表す昇降機の設置位置の周辺における採光環境および照明環境を含むレイアウト画面を生成する。続いて、ステップＳＡ−８の処理へ移行し、端末装置１００の画面表示部１０２ｅは、画面生成部１０２ｄの処理により生成されたレイアウト画面を表示部１１４に表示させる。その後、ステップＳＡ−９の処理へ移行し、環境解析モードがＯＮ状態である場合は、これらステップＳＡ−１０、ステップＳＡ−７、ステップＳＡ−８の処理を繰り返す。
【００６７】
一方、ステップＳＡ−９において、制御部１０２の処理により環境解析モードがＯＮ状態ではない（すなわち、環境解析モードがＯＦＦ状態である）と判定された場合（ステップＳＡ−９：Ｎｏ）、本処理を終了する。このように、本実施形態のＢＩＭシステムにおいて実行される図１０に示した基本処理によれば、利用者は、昇降機を建築物に組み込んだ状態を統合ＢＩＭモデル上で視覚的に分かり易く確認することができる。更に、昇降機の設置位置の周辺における採光環境および照明環境についても統合ＢＩＭモデル上で確認することができる。
【００６８】
本実施形態において、図１０のステップＳＡ−８の処理の後、動作解析モードがＯＮ状態にある場合は、図１１に示すように、端末装置１００は、動作解析処理を実行してもよい。図１１は、動作解析処理の一例を示すフローチャートである。
【００６９】
なお、図１１では、図１０のステップＳＡ−６にて統合モデリング部１０２ｃの処理により統合ＢＩＭモデルが作成された状態を前提としているため、ステップＳＡ−７の処理から説明する。
【００７０】
図１１に示すように、端末装置１００の画面生成部１０２ｄは、統合モデリング部１０２ｃの処理により作成された統合ＢＩＭモデルを含むレイアウト画面を生成する（ステップＳＡ−７）。このステップＳＡ−７において、画面生成部１０２ｄは、例えば、図４に示すようなエスカレータのＢＩＭパーツを建築物のＢＩＭモデルに組み込んだ統合ＢＩＭモデルを含むレイアウト画面を生成する。また、図１０のステップＳＡ−１０にて環境解析が実行された場合は、図５に示すように、統合ＢＩＭモデル内のＢＩＭパーツが表す昇降機の設置位置の周辺における採光環境および照明環境を含むレイアウト画面を生成してもよい。
【００７１】
そして、端末装置１００の画面表示部１０２ｅは、ステップＳＡ−７にて画面生成部１０２ｄの処理により生成されたレイアウト画面を表示部１１４に表示させる（ステップＳＡ−８）。このステップＳＡ−８において、画面表示部１０２ｅは、例えば、図４に示すようなエスカレータのＢＩＭパーツを建築物のＢＩＭモデルに組み込んだ３次元の統合ＢＩＭモデルを含むレイアウト画面を表示部１１４に表示させる。また、図１０のステップＳＡ−１０にて環境解析が実行された場合は、図５に示すような昇降機の設置位置の周辺における採光環境および照明環境を含むレイアウト画面を表示部１１４に表示させてもよい。
【００７２】
そして、端末装置１００の制御部１０２は、動作解析のシミュレーションを実行する動作解析モードがＯＮ状態にあるか否かを判定する（ステップＳＡ−１１）。
【００７３】
ステップＳＡ−１１において、制御部１０２の処理により動作解析モードがＯＮ状態にあると判定された場合（ステップＳＡ−１１：Ｙｅｓ）、端末装置１００の動作解析部１０２ｇは、ステップＳＡ−８にて画面表示部１０２ｅの処理により表示されたレイアウト画面上で、ヒトオブジェクト情報データベース１０６ｃに記憶されたヒトオブジェクト情報に基づいて、ヒトオブジェクトを統合ＢＩＭモデル内で移動させながら、ＢＩＭパーツの動作をシミュレーションする（ステップＳＡ−１２）。
【００７４】
そして、ステップＳＡ−１２の処理を実行開始後、ステップＳＡ−７の処理へ移行し、端末装置１００の画面生成部１０２ｄは、ステップＳＡ−１２にて動作解析部１０２ｇの処理によるシミュレーション結果に基づいて、図６に示すように、統合ＢＩＭモデル内で移動可能なヒトオブジェクトを含むレイアウト画面を生成する。ここで、画面生成部１０２ｄは、環境解析部１０２ｆおよび動作解析部１０２ｇの処理によるシミュレーション結果に基づいて、図７に示すように、採光環境および照明環境をヒトオブジェクトの視点で表すレイアウト画面を生成してもよい。続いて、ステップＳＡ−８の処理へ移行し、端末装置１００の画面表示部１０２ｅは、画面生成部１０２ｄの処理により生成されたレイアウト画面を表示部１１４に表示させる。その後、ステップＳＡ−１１の処理へ移行し、動作解析モードがＯＮ状態にある場合は、これらステップＳＡ−１２、ステップＳＡ−７、ステップＳＡ−８の処理を繰り返す。
【００７５】
一方、ステップＳＡ−１１において、制御部１０２の処理により動作解析モードがＯＮ状態ではない（すなわち、動作解析モードがＯＦＦ状態である）と判定された場合（ステップＳＡ−１１：Ｎｏ）、本処理を終了する。このように、本実施形態のＢＩＭシステムにおいて実行される図１１に示した動作解析処理によれば、利用者は、昇降機を建築物に組み込んだ状態の統合ＢＩＭモデル上で、昇降機の動作状態を確認することができる。更に、実際にこの昇降機を利用して移動するヒトの目線にて、昇降機の設置位置の周辺における採光環境および照明環境についても確認することができる。
【００７６】
本実施形態において、環境解析のシミュレーションを実行している場合、あるいは、環境解析および動作解析の両方のシミュレーションを実行している場合、図１０および図１１のステップＳＡ−８の処理の後、照度評価モードがＯＮ状態にある場合は、図１２に示すように、端末装置１００は、照度評価処理と改善項目特定処理を実行してもよい。図１２は、照度評価処理と改善項目特定処理の一例を示すフローチャートである。
【００７７】
なお、図１２では、図１０のステップＳＡ−１０にて環境解析部１０２ｆの処理により環境解析のシミュレーションが実行されている状態、あるいは、環境解析のシミュレーションの実行に加え、図１１のステップＳＡ−１２にて動作解析部１０２ｇの処理により動作解析のシミュレーションが実行されている状態を前提としている。
【００７８】
図１２に示すように、端末装置１００の画面生成部１０２ｄは、環境解析部１０２ｆの処理によるシミュレーション結果に基づいて、図５に示すように、統合ＢＩＭモデル内のＢＩＭパーツが表す昇降機の設置位置の周辺における採光環境および照明環境を含むレイアウト画面を生成する（ステップＳＡ−７）。ここで、画面生成部１０２ｄは、環境解析部１０２ｆおよび動作解析部１０２ｇの処理によるシミュレーション結果に基づいて、図７に示すように、採光環境および照明環境をヒトオブジェクトの視点で表すレイアウト画面を生成してもよい。
【００７９】
そして、端末装置１００の画面表示部１０２ｅは、ステップＳＡ−７にて画面生成部１０２ｄの処理により生成されたレイアウト画面を表示部１１４に表示させる（ステップＳＡ−８）。このステップＳＡ−８において、画面表示部１０２ｅは、例えば、図５に示すような統合ＢＩＭモデル内のＢＩＭパーツが表す昇降機の設置位置の周辺における採光環境および照明環境を含むレイアウト画面を表示部１１４に表示させる。ここで、画面表示部１０２ｅは、図７に示すような採光環境および照明環境をヒトオブジェクトの視点で表すレイアウト画面を表示部１１４に表示させてもよい。
【００８０】
そして、端末装置１００の制御部１０２は、照度評価を実行する照度評価モードがＯＮ状態にあるか否かを判定する（ステップＳＡ−１３）。
【００８１】
ステップＳＡ−１３において、制御部１０２の処理により照度評価モードがＯＮ状態であると判定された場合（ステップＳＡ−１３：Ｙｅｓ）、端末装置１００の照度評価部１０２ｈは、環境解析部１０２ｆの処理によるシミュレーション結果、あるいは、環境解析部１０２ｆおよび動作解析部１０２ｇの処理によるシミュレーション結果に基づいて、採光環境および照明環境のうち少なくとも一つに関する照度を評価する（ステップＳＡ−１４）。一方、ステップＳＡ−１３において、制御部１０２の処理により照度評価モードがＯＮ状態ではない（すなわち、照度評価モードがＯＦＦ状態である）と判定された場合（ステップＳＡ−１３：Ｎｏ）、本処理を終了する。
【００８２】
そして、端末装置１００の制御部１０２は、ステップＳＡ−１４にて照度評価部１０２ｈの処理により評価された照度の評価結果が、不足状態または過剰状態を示すか否かを判定する（ステップＳＡ−１５）。
【００８３】
ステップＳＡ−１５において、制御部１０２の処理により不足状態または過剰状態を示すと判定された場合（ステップＳＡ−１５：Ｙｅｓ）、不足状態または過剰状態と評価された採光環境および照明環境のうち少なくとも一つにおける照度に影響する改善項目を特定する（ステップＳＡ−１６）。
【００８４】
そして、ステップＳＡ−１６の処理を実行開始後、ステップＳＡ−７の処理へ移行し、端末装置１００の画面生成部１０２ｄは、図８に示すように、ステップＳＡ−１６にて改善項目特定部１０２ｉの処理により特定された改善項目の再検討を要求するメッセージを含むレイアウト画面を生成する。続いて、ステップＳＡ−８の処理へ移行し、端末装置１００の画面表示部１０２ｅは、画面生成部１０２ｄの処理により生成されたレイアウト画面を表示部１１４に表示させる。その後、ステップＳＡ−１３の処理へ移行し、照度評価モードがＯＮ状態であり、かつ、照度の評価結果が不足状態または過剰状態を示す場合は、これらステップＳＡ−１４、ステップＳＡ−１６、ステップＳＡ−７、ステップＳＡ−８の処理を繰り返す。
【００８５】
一方、ステップＳＡ−１５において、制御部１０２の処理により不足状態または過剰状態を示さない（すなわち、適合状態を示す）と判定された場合（ステップＳＡ−１５：Ｎｏ）、本処理を終了する。このように、本実施形態のＢＩＭシステムにおいて実行される図１２に示した照度評価処理と改善項目特定処理によれば、利用者は、昇降機を建築物に組み込んだ状態の統合ＢＩＭモデル上で、採光環境および照明環境の照度が、不足状態、適合状態、または、過剰状態のいずれかにあるかを確認することができる。更に、利用者は、採光環境および照明環境の照度が不足状態または過剰状態である場合、これらの状態を適合状態に変えるために注目すべき改善項目についても確認することができる。
【００８６】
本実施形態において、改善項目を特定している場合、図１２のステップＳＡ−８の処理の後、再検討要求がある場合は、図１３に示すように、端末装置１００は、改善計画生成処理を実行してもよい。図１３は、改善計画生成処理の一例を示すフローチャートである。
【００８７】
なお、図１３では、図１２のステップＳＡ−１６にて改善項目特定部１０２ｉの処理により改善項目が特定されている状態を前提としている。
【００８８】
図１３に示すように、端末装置１００の画面生成部１０２ｄは、例えば、図８に示すように、改善項目特定部１０２ｉの処理により特定された改善項目の再検討を要求するメッセージを含むレイアウト画面を生成する（ステップＳＡ−７）。
【００８９】
そして、端末装置１００の画面表示部１０２ｅは、ステップＳＡ−７にて画面生成部１０２ｄの処理により作成された、例えば、図８に示すような改善項目の再検討を要求するメッセージを含むレイアウト画面を表示部１１４に表示させる（ステップＳＡ−８）。
【００９０】
そして、端末装置１００の制御部１０２は、ステップＳＡ−８にて画面表示部１０２ｅの処理により表示されたレイアウト画面上で、改善項目特定部１０２ｉの処理により特定された改善項目に対する再検討の要求を受け付けたか否かを判定する（ステップＳＡ−１７）。
【００９１】
ステップＳＡ−１７において、制御部１０２の処理により改善項目に対する再検討の要求を受け付けたと判定した場合（ステップＳＡ−１７：Ｙｅｓ）、端末装置１００の改善計画生成部１０２ｊは、照度を不足状態または過剰状態から、適合状態にさせるように改善項目を変更する改善計画を生成する（ステップＳＡ−１８）。
【００９２】
そして、ステップＳＡ−１８の処理を実行開始後、ステップＳＡ−７の処理へ移行し、端末装置１００の画面生成部１０２ｄは、図９に示すように、ステップＳＡ−１８にて改善計画生成部１０２ｊの処理により生成された改善計画を含むレイアウト画面を生成する。続いて、ステップＳＡ−８の処理へ移行し、端末装置１００の画面表示部１０２ｅは、画面生成部１０２ｄの処理により生成されたレイアウト画面を表示部１１４に表示させる。その後、ステップＳＡ−１７の処理へ移行し、再検討要求を受け付けたと判定された場合は、これらステップＳＡ−１８、ステップＳＡ−７、ステップＳＡ−８の処理を繰り返す。
【００９３】
一方、ステップＳＡ−１７において、制御部１０２の処理により再検討要求を受け付けていないと判定された場合（ステップＳＡ−１７：Ｎｏ）、本処理を終了する。このように、本実施形態のＢＩＭシステムにおいて実行される図１３に示した改善計画生成処理によれば、利用者は、採光環境および照明環境の照度を適合状態に変えるために生成された改善計画を確認することができる。
【００９４】
本実施形態において、図１０〜図１３に示したように、ステップＳＡ−７にてレイアウト画面を生成し、ステップＳＡ−８にてレイアウト画面を表示した後、変更操作がある場合は、図１４に示すように、端末装置１００は、変更処理を実行してもよい。図１４は、変更処理の一例を示すフローチャートである。
【００９５】
図１４に示すように、端末装置１００の画面生成部１０２ｄは、例えば、図５〜図８に示すようなレイアウト画面を生成する（ステップＳＡ−７）。そして、端末装置１００の画面表示部１０２ｅは、ステップＳＡ−７にて画面生成部１０２ｄの処理により作成された、例えば、図５〜図８に示すようなレイアウト画面を表示部１１４に表示させる（ステップＳＡ−８）。
【００９６】
そして、端末装置１００の制御部１０２は、画面表示部１０２ｅにより表示されたレイアウト画面上で、利用者の変更操作が検出されたか否かを判定する（ステップＳＡ−１９）。
【００９７】
ステップＳＡ−１９において、制御部１０２の処理により変更操作が検出されたと判定された場合（ステップＳＡ−１９：Ｙｅｓ）、端末装置１００の変更部１０２ｋは、画面表示部１０２ｅの処理により表示されたレイアウト画面上で、ＢＩＭモデルおよびＢＩＭパーツのうち少なくとも一つを変更する（ステップＳＡ−２０）。ここで、変更部１０２ｋは、変更操作が建築物のＢＩＭモデルに対する操作である場合、検出された変更操作に応じて、建築物のＢＩＭモデルに含まれる構造情報等の属性情報を変更することで、当該ＢＩＭモデルを変更する。また、変更部１０２ｋは、変更操作が昇降機のＢＩＭパーツに対する操作である場合、検出された変更操作に応じて、昇降機のＢＩＭパーツに含まれるパーツ情報等の属性情報を変更することで、当該ＢＩＭパーツを変更する。その後、本処理を終了する。
【００９８】
一方、ステップＳＡ−１９において、制御部１０２の処理により変更操作が検出されなかったと判定された場合（ステップＳＡ−１９：Ｎｏ）、本処理を終了する。このように、本実施形態のＢＩＭシステムにおいて実行される図１４に示した変更処理によれば、利用者は、例えば、所望の採光環境および照明環境となるように、建築物のＢＩＭモデルや昇降機のＢＩＭパーツについても変更することができる。
【００９９】
以上で、第１の実施形態におけるＢＩＭシステムの処理の一例の説明を終える。
【０１００】
以上説明したように、本実施形態によれば、昇降機の設備計画を提案する際、建築物に昇降機を組み込んだ状態を視覚的に分かりやすく表示することができる。また、本実施形態によれば、ＢＩＭシステムにて作成した統合ＢＩＭモデル上で、実際の建物に設置した昇降機の照明条件等を確認することができる。更に、本実施形態によれば、実際の昇降機の設置環境および昇降機周囲の採光条件（窓との距離など）や別光源（周囲の照明など）によって、その建物に取り付ける予定の昇降機の照明オプション仕様を決めることもできる。この際、照明装置の有無、各照明オプション仕様を、利用者が実際に昇降機を使用した際の視点にて明るさや周囲の明るさを確認した上で、ポイント毎に最適な照明装置を選択することもできる。
【０１０１】
［第２の実施形態］
続いて、第２の実施形態について、図１５および図１６を参照して以下に説明する。ここで、図１５は、第２の実施形態におけるＢＩＭシステムの構成の一例を示すブロック図であり、該構成のうち主要な部分を概念的に示している。
【０１０２】
なお、第２の実施形態においては、サーバ装置２００側で作成条件に対応する昇降機のＢＩＭパーツを建築物のＢＩＭモデルに組み込んだ統合ＢＩＭモデルを含むレイアウト画面を生成し、端末装置１００へ送信して、当該端末装置１００の表示部１１４に表示させるように制御している。更に、第２の実施形態において、サーバ装置２００側で解析条件に対応する環境解析や動作解析のシミュレーションを実行し、当該シミュレーション結果を反映させたレイアウト画面を生成し、端末装置１００へ送信して、当該端末装置１００の表示部１１４に表示させるように制御している。このように、第２の実施形態は、サーバ装置２００にてサーバ主導で処理を行う点が、その他の実施形態と異なる。
【０１０３】
［第２の実施形態におけるＢＩＭシステムの構成］
まず、第２の実施形態におけるＢＩＭシステムの構成の一例について、図１５を参照して以下に説明する。
【０１０４】
図１５に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【０１０５】
図１５において、サーバ装置２００は、端末装置１００から送信される作成条件に対応するＢＩＭパーツを作成し、ＢＩＭパーツをＢＩＭモデルに組み込んだ統合ＢＩＭモデルを作成する等の機能を有する。また、サーバ装置２００は、統合ＢＩＭモデルを含むレイアウト画面を生成し、レイアウト画面を端末装置１００へ送信して、当該端末装置１００の表示部１１４に表示させるように制御する等の機能を有する。更に、サーバ装置２００は、レイアウト画面上で検出されサーバ装置２００へ送信される検出信号に応じて、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする等の機能を有する。このとき、サーバ装置２００は、環境解析のシミュレーション結果に基づいて、統合ＢＩＭモデル内のＢＩＭパーツが表す昇降機の設置位置の周辺における採光環境および照明環境を含むレイアウト画面を生成する。
【０１０６】
なお、サーバ装置２００における通信制御インターフェース部２０４および記憶部２０６（パーツ情報データベース２０６ａ、ＢＩＭモデルデータベース２０６ｂ、環境情報データベース２０６ｃ、および、ヒトオブジェクト情報データベース２０６ｄ等）の機能、また、端末装置１００における表示部１１４、音声出力部１１６、および、入力部１１８の機能は、第１の実施形態と同様であるため説明を省略する。
【０１０７】
また、図１５において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、統合モデリング部２０２ｄ、画面生成部２０２ｅ、画面表示制御部２０２ｆ、環境解析部２０２ｇ、動作解析部２０２ｈ、照度評価部２０２ｉ、改善項目特定部２０２ｊ、改善計画生成部２０２ｋ、および、変更部２０２ｍを備える。
【０１０８】
このうち、作成条件受信部２０２ａは、端末装置１００から送信される作成条件を受信する作成条件受信手段である。ここで、作成条件は、利用者により端末装置１００において入力部１１８を介して入力されたものであってもよいし、予め作成条件が記憶された外部記憶装置（図示せず）から読み込まれたものであってもよい。
【０１０９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、上述の図３に示すようなエスカレータの３次元のＢＩＭパーツを作成する。ここで、昇降機モデリング部２０２ｂは、作成条件に合致する範囲内でＢＩＭパーツを複数作成してもよい。昇降機モデリング部２０２ｂは、作成した昇降機のＢＩＭパーツを記憶部２０６に格納して、ＢＩＭパーツデータベース（図示せず）を構築してもよい。
【０１１０】
また、統合モデリング部２０２ｄは、昇降機モデリング部２０２ｂにより作成されたＢＩＭパーツを、ＢＩＭモデルデータベース２０６ｂに記憶された建築物のＢＩＭモデルに組み込んだ統合ＢＩＭモデルを作成する統合モデリング手段である。統合モデリング部２０２ｄは、昇降機モデリング部２０２ｂにより作成されたＢＩＭパーツを、ＢＩＭモデルデータベース２０６ｂに記憶されたＢＩＭモデル内の設置位置に設置することで、統合ＢＩＭモデルを作成する。例えば、統合モデリング部２０２ｄは、上述の図４に示すようなエスカレータのＢＩＭパーツを建築物のＢＩＭモデルに組み込んだ統合ＢＩＭモデルを作成する。ここで、統合モデリング部２０２ｄは、作成した統合ＢＩＭモデルを記憶部２０６に格納して、統合ＢＩＭモデルデータベース（図示せず）を構築してもよい。
【０１１１】
また、画面生成部２０２ｅは、統合モデリング部２０２ｄにより作成された統合ＢＩＭモデルを含むレイアウト画面を生成する画面生成手段である。本実施形態において、画面生成部２０２ｅは、後述する環境解析部２０２ｇによるシミュレーション結果に基づいて、上述の図５に示すように、統合ＢＩＭモデル内のＢＩＭパーツが表す昇降機の設置位置の周辺における採光環境および照明環境を含むレイアウト画面を生成する。また、画面生成部２０２ｅは、後述する動作解析部２０２ｈによるシミュレーション結果に基づいて、上述の図６に示すように、統合ＢＩＭモデル内で移動可能なヒトオブジェクトを含むレイアウト画面を生成してもよい。ここで、画面生成部２０２ｅは、後述する環境解析部２０２ｇおよび動作解析部２０２ｈによるシミュレーション結果に基づいて、上述の図７に示すように、採光環境および照明環境をヒトオブジェクトの視点で表すレイアウト画面を生成してもよい。更に、画面生成部２０２ｅは、上述の図８に示すように、後述する改善項目特定部２０２ｊにより特定された改善項目の再検討を要求するメッセージを含むレイアウト画面を生成してもよい。ここで、画面生成部２０２ｅは、上述の図９に示すように、後述する改善計画生成部２０２ｋにより生成された改善計画を含むレイアウト画面を生成してもよい。
【０１１２】
また、画面表示制御部２０２ｆは、画面生成部２０２ｅにより生成されたレイアウト画面を端末装置１００へ送信し、当該レイアウト画面を端末装置１００の表示部１１４に表示させるように制御する画面表示制御手段である。
【０１１３】
また、環境解析部２０２ｇは、画面表示制御部２０２ｆにより表示されたレイアウト画面上で検出されサーバ装置２００へ送信される検出信号に応じて、環境情報データベース２０６ｃに記憶された環境情報に基づいて、統合ＢＩＭモデルの環境をシミュレーションする環境解析手段である。具体的には、環境解析部２０２ｇは、画面表示制御部２０２ｆにより表示されたレイアウト画面上で検出されサーバ装置２００へ送信される検出信号に応じて、環境情報データベース２０６ｃに記憶された環境情報に含まれる、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする。本実施形態において、環境解析部２０２ｇは、サーバ装置２００へ送信される検出信号に応じて決定される、建築物の建築特性を示す構造情報、昇降機の設置位置、当該設置位置の周囲の採光条件、および、当該設置位置の周囲の照明条件のうち少なくとも一つを含む解析条件に従って、統合ＢＩＭモデルの環境をシミュレーションする。
【０１１４】
また、動作解析部２０２ｈは、画面表示制御部２０２ｆにより表示されたレイアウト画面上で検出されサーバ装置２００へ送信される検出信号に応じて、ヒトオブジェクト情報データベース２０６ｄに記憶されたヒトオブジェクト情報に基づいて、ヒトオブジェクトを統合ＢＩＭモデル内で移動させながら、ＢＩＭパーツの動作をシミュレーションする動作解析手段である。本実施形態において、動作解析部２０２ｈは、画面表示制御部２０２ｆにより表示されたレイアウト画面上で検出されサーバ装置２００へ送信される検出信号に応じて、昇降機のＢＩＭパーツに含まれるパーツ情報が示すＢＩＭパーツの動作パラメータに基づいて、昇降機のＢＩＭパーツの動作をシミュレーションする。また、本実施形態において、動作解析部２０２ｈは、画面表示制御部２０２ｆにより表示されたレイアウト画面上で検出されサーバ装置２００へ送信される検出信号に応じて決定される移動条件に基づいて生成された移動経路上でヒトオブジェクトを移動させることにより、当該ヒトオブジェクトの移動をシミュレーションする。
【０１１５】
また、照度評価部２０２ｉは、環境解析部２０２ｇによるシミュレーション結果、あるいは、環境解析部２０２ｇおよび動作解析部２０２ｈによるシミュレーション結果に基づいて、採光環境および照明環境のうち少なくとも一つに関する照度を評価する照度評価手段である。
【０１１６】
また、改善項目特定部２０２ｊは、照度評価部２０２ｉにより評価された照度の評価結果が、不足状態または過剰状態を示す場合、不足状態または過剰状態と評価された採光環境および照明環境のうち少なくとも一つにおける照度に影響する改善項目を特定する改善項目特定手段である。
【０１１７】
また、改善計画生成部２０２ｋは、画面表示制御部２０２ｆにより表示されたレイアウト画面上で検出されサーバ装置２００へ送信される、改善項目特定部２０２ｊにより特定された改善項目に対する再検討の要求を受け付けた場合、照度を不足状態または過剰状態から、適合状態にさせるように改善項目を変更する改善計画を生成する改善計画生成手段である。
【０１１８】
また、変更部２０２ｍは、画面表示制御部２０２ｆにより表示されたレイアウト画面上で検出されサーバ装置２００へ送信される検出信号に応じて、ＢＩＭモデルおよびＢＩＭパーツのうち少なくとも一つを変更する変更手段である。
【０１１９】
以上で、第２の実施形態におけるＢＩＭシステムの構成の一例の説明を終える。
【０１２０】
［第２の実施形態におけるＢＩＭシステムの処理］
次に、このように構成された第２の実施形態におけるＢＩＭシステムの処理の一例について、以下に図１６を参照して詳細に説明する。図１６は、第２の実施形態におけるＢＩＭシステムの基本処理の一例を示すフローチャートである。
【０１２１】
図１６に示すように、端末装置１００の制御部１０２は、利用者により入力される作成条件をサーバ装置２００へ送信する（ステップＳＢ−１）。
【０１２２】
そして、サーバ装置２００の作成条件受信部２０２ａは、ステップＳＢ−１にて制御部１０２の処理により送信される作成条件を受信する（ステップＳＢ−２）。
【０１２３】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。
【０１２４】
そして、サーバ装置２００の統合モデリング部２０２ｄは、ステップＳＢ−３にて昇降機モデリング部２０２ｂの処理により作成されたＢＩＭパーツを、ＢＩＭモデルデータベース２０６ｂに記憶された建築物のＢＩＭモデルに組み込んだ統合ＢＩＭモデルを作成する（ステップＳＢ−４）。
【０１２５】
そして、サーバ装置２００の画面生成部２０２ｅは、ステップＳＢ−４にて統合モデリング部２０２ｄの処理により作成された統合ＢＩＭモデルを含むレイアウト画面を生成する（ステップＳＢ−５）。このステップＳＢ−５において、画面生成部２０２ｅは、例えば、上述の図４に示すようなエスカレータのＢＩＭパーツを建築物のＢＩＭモデルに組み込んだ統合ＢＩＭモデルを含むレイアウト画面を生成する。
【０１２６】
そして、サーバ装置２００の画面表示制御部２０２ｆは、ステップＳＢ−５にて画面生成部２０２ｅの処理により生成されたレイアウト画面を端末装置１００へ送信し（ステップＳＢ−６）、当該レイアウト画面を端末装置１００の表示部１１４に表示させるように制御する（ステップＳＢ−７）。このステップＳＢ−６〜ＳＢ−７において、画面表示制御部２０２ｆは、例えば、上述の図４に示すようなエスカレータのＢＩＭパーツを建築物のＢＩＭモデルに組み込んだ３次元の統合ＢＩＭモデルを含むレイアウト画面を表示部１１４に表示させる。
【０１２７】
そして、端末装置１００の制御部１０２は、環境解析のシミュレーションを実行する環境解析モードがＯＮ状態であるか否かを判定する（ステップＳＢ−８）。
【０１２８】
ステップＳＢ−８において、制御部１０２の処理により環境解析モードがＯＮ状態であると判定された場合（ステップＳＢ−８：Ｙｅｓ）、端末装置１００の制御部１０２は、ステップＳＢ−６〜ＳＢ−７にて画面表示制御部２０２ｆの処理により表示されたレイアウト画面上で検出された検出信号に応じて環境解析の解析条件を決定し、当該解析条件をサーバ装置２００へ送信する。そして、サーバ装置２００の環境解析部２０２ｇは、端末装置１００から受信した解析条件に従って、統合ＢＩＭモデルの環境をシミュレーションする（ステップＳＢ−９）。
【０１２９】
そして、ステップＳＢ−９の処理を実行後、ステップＳＢ−５の処理へ移行し、サーバ装置２００の画面生成部２０２ｅは、ステップＳＢ−９にて環境解析部２０２ｇの処理によるシミュレーション結果に基づいて、上述の図５に示すように、統合ＢＩＭモデル内のＢＩＭパーツが表す昇降機の設置位置の周辺における採光環境および照明環境を含むレイアウト画面を生成する。ここで、画面生成部２０２ｅは、環境解析部２０２ｇの処理によるシミュレーション結果が、端末装置１００の表示部１１４に表示される際にレイアウト画面上で再現されるように表示制御信号を埋め込む。続いて、ステップＳＢ−６〜ＳＢ−７の処理へ移行し、サーバ装置２００の画面表示制御部２０２ｆは、画面生成部２０２ｅの処理により生成されたレイアウト画面を端末装置１００へ送信し、当該レイアウト画面を端末装置１００の表示部１１４に表示させるように制御する。その後、ステップＳＢ−８の処理へ移行し、環境解析モードがＯＮ状態である場合は、これらステップＳＢ−９、ステップＳＢ−５、ステップＳＢ−６、ステップＳＢ−７の処理を繰り返す。
【０１３０】
一方、ステップＳＢ−８において、制御部１０２の処理により環境解析モードがＯＮ状態ではない（すなわち、環境解析モードがＯＦＦ状態である）と判定された場合（ステップＳＢ−８：Ｎｏ）、本処理を終了する。
【０１３１】
この他、第２の実施形態においても、第１の実施形態と同様に、動作解析処理、照度評価処理、改善項目特定処理、改善計画生成処理、変更処理を実行可能である。これらの処理の詳細については、第１の実施形態では、端末装置１００で実行されている点が、第２の実施形態ではサーバ装置２００で実行されている点以外は、基本的に同様であるため、説明を省略する。
【０１３２】
以上で、第２の実施形態におけるＢＩＭシステムの処理の一例の説明を終える。
【０１３３】
なお、第２の実施形態にかかるＢＩＭシステム（サーバ主導型）においても、上述の第１の実施形態にかかるＢＩＭシステム（機能分散型）と同様の効果を奏する。
【０１３４】
［第３の実施形態］
続いて、第３の実施形態について、図１７および図１８を参照して以下に説明する。ここで、図１７は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１３５】
なお、第３の実施形態においては、全ての機能をＢＩＭ装置４００に集約し、当該ＢＩＭ装置４００は、利用者により入力される作成条件に対応する昇降機のＢＩＭパーツを作成し、ＢＩＭパーツを建築物のＢＩＭモデルに組み込んだ統合ＢＩＭモデルを作成する等の機能を有する。また、ＢＩＭ装置４００は、統合ＢＩＭモデルを含むレイアウト画面を生成し、レイアウト画面を表示部４１４に表示させる等の機能を有する。また、ＢＩＭ装置４００は、レイアウト画面上で、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする等の機能を有する。ここで、ＢＩＭ装置４００は、環境解析のシミュレーション結果に基づいて、統合ＢＩＭモデル内のＢＩＭパーツが表す昇降機の設置位置の周辺における採光環境および照明環境を含むレイアウト画面を生成する。このように、第３の実施形態は、ＢＩＭ装置４００がスタンドアロン型に構成され単独で処理を行う点がその他の実施形態と異なる。
【０１３６】
［第３の実施形態におけるＢＩＭシステムの構成］
まず、第３の実施形態におけるＢＩＭシステムの構成の一例について、図１７を参照して以下に説明する。
【０１３７】
図１７に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１３８】
図１７において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、環境情報データベース４０６ｃ、および、ヒトオブジェクト情報データベース４０６ｄ等）についても、サーバ装置２００ではなくＢＩＭ装置４００に備えられている点を除き、各機能が第１の実施形態と同様であるため説明を省略する。
【０１３９】
また、制御部４０２の各部については、本実施形態のＢＩＭ装置４００がスタンドアロン型であり、制御部４０２が各送信部を備えていない点を除き、各機能は第１の実施形態と基本的に同様である。
【０１４０】
また、図１７において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｄ、画面表示部４０２ｅ、環境解析部４０２ｆ、動作解析部４０２ｇ、照度評価部４０２ｈ、改善項目特定部４０２ｉ、改善計画生成部４０２ｊ、および、変更部４０２ｋを備える。
【０１４１】
このうち、作成条件設定部４０２ａは、利用者により入力部４１８を介して入力される作成条件を設定する作成条件設定手段である。ここで、作成条件は、予め作成条件が記憶された外部記憶装置（図示せず）から読み込まれたものであってもよい。
【０１４２】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、上述の図３に示すようなエスカレータの３次元のＢＩＭパーツを作成する。ここで、昇降機モデリング部４０２ｂは、作成条件に合致する範囲内でＢＩＭパーツを複数作成してもよい。昇降機モデリング部４０２ｂは、作成した昇降機のＢＩＭパーツを記憶部４０６に格納して、ＢＩＭパーツデータベース（図示せず）を構築してもよい。
【０１４３】
また、統合モデリング部４０２ｃは、昇降機モデリング部４０２ｂにより作成されたＢＩＭパーツを、ＢＩＭモデルデータベース４０６ｂに記憶された建築物のＢＩＭモデルに組み込んだ統合ＢＩＭモデルを作成する統合モデリング手段である。統合モデリング部４０２ｃは、昇降機モデリング部４０２ｂにより作成されたＢＩＭパーツを、ＢＩＭモデルデータベース４０６ｂに記憶されたＢＩＭモデル内の設置位置に設置することで、統合ＢＩＭモデルを作成する。例えば、統合モデリング部４０２ｃは、上述の図４に示すようなエスカレータのＢＩＭパーツを建築物のＢＩＭモデルに組み込んだ統合ＢＩＭモデルを作成する。ここで、統合モデリング部４０２ｃは、作成した統合ＢＩＭモデルを記憶部４０６に格納して、統合ＢＩＭモデルデータベース（図示せず）を構築してもよい。
【０１４４】
また、画面生成部４０２ｄは、統合モデリング部４０２ｃにより作成された統合ＢＩＭモデルを含むレイアウト画面を生成する画面生成手段である。本実施形態において、画面生成部４０２ｄは、後述する環境解析部４０２ｆによるシミュレーション結果に基づいて、上述の図５に示すように、統合ＢＩＭモデル内のＢＩＭパーツが表す昇降機の設置位置の周辺における採光環境および照明環境を含むレイアウト画面を生成する。また、画面生成部４０２ｄは、後述する動作解析部４０２ｇによるシミュレーション結果に基づいて、上述の図６に示すように、統合ＢＩＭモデル内で移動可能なヒトオブジェクトを含むレイアウト画面を生成してもよい。ここで、画面生成部４０２ｄは、後述する環境解析部４０２ｆおよび動作解析部４０２ｇによるシミュレーション結果に基づいて、上述の図７に示すように、採光環境および照明環境をヒトオブジェクトの視点で表すレイアウト画面を生成してもよい。更に、画面生成部４０２ｄは、上述の図８に示すように、後述する改善項目特定部４０２ｉにより特定された改善項目の再検討を要求するメッセージを含むレイアウト画面を生成してもよい。ここで、画面生成部４０２ｄは、上述の図９に示すように、後述する改善計画生成部４０２ｊにより生成された改善計画を含むレイアウト画面を生成してもよい。
【０１４５】
また、画面表示部４０２ｅは、画面生成部４０２ｄにより生成されたレイアウト画面を表示部４１４に表示させる画面表示手段である。
【０１４６】
また、環境解析部４０２ｆは、画面表示部４０２ｅにより表示されたレイアウト画面上で、環境情報データベース４０６ｃに記憶された環境情報に基づいて、統合ＢＩＭモデルの環境をシミュレーションする環境解析手段である。具体的には、環境解析部４０２ｆは、画面表示部４０２ｅにより表示されたレイアウト画面上で、環境情報データベース４０６ｃに記憶された環境情報に含まれる、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする。本実施形態において、環境解析部４０２ｆは、利用者により設定される、建築物の建築特性を示す構造情報、昇降機の設置位置、当該設置位置の周囲の採光条件、および、当該設置位置の周囲の照明条件のうち少なくとも一つを含む解析条件に従って、統合ＢＩＭモデルの環境をシミュレーションする。
【０１４７】
また、動作解析部４０２ｇは、画面表示部４０２ｅにより表示されたレイアウト画面上で、ヒトオブジェクト情報データベース４０６ｄに記憶されたヒトオブジェクト情報に基づいて、ヒトオブジェクトを統合ＢＩＭモデル内で移動させながら、ＢＩＭパーツの動作をシミュレーションする動作解析手段である。本実施形態において、動作解析部４０２ｇは、画面表示部４０２ｅにより表示されたレイアウト画面上で、昇降機のＢＩＭパーツに含まれるパーツ情報が示すＢＩＭパーツの動作パラメータに基づいて、昇降機のＢＩＭパーツの動作をシミュレーションする。また、本実施形態において、動作解析部４０２ｇは、利用者により設定される移動条件に基づいて生成された移動経路上でヒトオブジェクトを移動させることにより、当該ヒトオブジェクトの移動をシミュレーションする。
【０１４８】
また、照度評価部４０２ｈは、環境解析部４０２ｆによるシミュレーション結果、あるいは、環境解析部４０２ｆおよび動作解析部４０２ｇによるシミュレーション結果に基づいて、採光環境および照明環境のうち少なくとも一つに関する照度を評価する照度評価手段である。
【０１４９】
また、改善項目特定部４０２ｉは、照度評価部４０２ｈにより評価された照度の評価結果が、不足状態または過剰状態を示す場合、不足状態または過剰状態と評価された採光環境および照明環境のうち少なくとも一つにおける照度に影響する改善項目を特定する改善項目特定手段である。
【０１５０】
また、改善計画生成部４０２ｊは、画面表示部４０２ｅにより表示されたレイアウト画面上で、改善項目特定部４０２ｉにより特定された改善項目に対する再検討の要求を受け付けた場合、照度を不足状態または過剰状態から、適合状態にさせるように改善項目を変更する改善計画を生成する改善計画生成手段である。
【０１５１】
また、変更部４０２ｋは、画面表示部４０２ｅにより表示されたレイアウト画面上で、ＢＩＭモデルおよびＢＩＭパーツのうち少なくとも一つを変更する変更手段である。
【０１５２】
以上で、第３の実施形態におけるＢＩＭシステムの構成の一例の説明を終える。
【０１５３】
［第３の実施形態におけるＢＩＭシステムの処理］
次に、このように構成された第３の実施形態におけるＢＩＭシステムの処理の一例について、以下に図１８を参照して詳細に説明する。図１８は、第３の実施形態におけるＢＩＭ装置４００の基本処理の一例を示すフローチャートである。
【０１５４】
図１８に示すように、作成条件設定部４０２ａは、利用者により入力される作成条件を設定する（ステップＳＣ−１）。
【０１５５】
そして、昇降機モデリング部４０２ｂは、ステップＳＣ−１にて作成条件設定部４０２ａの処理により設定された作成条件に対応するＢＩＭパーツを、パーツ情報データベース４０６ａに記憶されたパーツ情報を用いて作成する（ステップＳＣ−２）。
【０１５６】
そして、統合モデリング部４０２ｃは、ステップＳＣ−２にて昇降機モデリング部４０２ｂの処理により作成されたＢＩＭパーツを、ＢＩＭモデルデータベース４０６ｂに記憶された建築物のＢＩＭモデルに組み込んだ統合ＢＩＭモデルを作成する（ステップＳＣ−３）。
【０１５７】
そして、画面生成部４０２ｄは、ステップＳＣ−３にて統合モデリング部４０２ｃの処理により作成された統合ＢＩＭモデルを含むレイアウト画面を生成する（ステップＳＣ−４）。このステップＳＣ−４において、画面生成部４０２ｄは、例えば、上述の図４に示すようなエスカレータのＢＩＭパーツを建築物のＢＩＭモデルに組み込んだ統合ＢＩＭモデルを含むレイアウト画面を生成する。
【０１５８】
そして、画面表示部４０２ｅは、ステップＳＣ−４にて画面生成部４０２ｄの処理により生成されたレイアウト画面を表示部４１４に表示させるように制御する（ステップＳＣ−５）。このステップＳＣ−５において、画面表示部４０２ｅは、例えば、上述の図４に示すようなエスカレータのＢＩＭパーツを建築物のＢＩＭモデルに組み込んだ３次元の統合ＢＩＭモデルを含むレイアウト画面を表示部１１４に表示させる。
【０１５９】
そして、制御部４０２は、環境解析のシミュレーションを実行する環境解析モードがＯＮ状態であるか否かを判定する（ステップＳＣ−６）。
【０１６０】
ステップＳＣ−６において、制御部４０２の処理により環境解析モードがＯＮ状態であると判定された場合（ステップＳＣ−６：Ｙｅｓ）、環境解析部４０２ｆは、ステップＳＣ−５にて画面表示部４０２ｅの処理により表示されたレイアウト画面上で、環境情報データベース４０６ｃに記憶された環境情報に含まれる、ＢＩＭモデル内外の環境に影響を及ぼす環境オブジェクトに関する環境オブジェクト情報に基づいて、環境オブジェクトを変化させながら、統合ＢＩＭモデルの環境をシミュレーションする（ステップＳＣ−７）。
【０１６１】
そして、ステップＳＣ−７の処理を実行開始後、ステップＳＣ−４の処理へ移行し、画面生成部４０２ｄは、ステップＳＣ−７にて環境解析部４０２ｆの処理によるシミュレーション結果に基づいて、上述の図５に示すように、統合ＢＩＭモデル内のＢＩＭパーツが表す昇降機の設置位置の周辺における採光環境および照明環境を含むレイアウト画面を生成する。続いて、ステップＳＣ−５の処理へ移行し、画面表示部４０２ｅは、画面生成部４０２ｄの処理により生成されたレイアウト画面を表示部４１４に表示させる。その後、ステップＳＣ−６の処理へ移行し、環境解析モードがＯＮ状態である場合は、これらステップＳＣ−７、ステップＳＣ−４、ステップＳＣ−５の処理を繰り返す。
【０１６２】
一方、ステップＳＣ−６において、制御部４０２の処理により環境解析モードがＯＮ状態ではない（すなわち、環境解析モードがＯＦＦ状態である）と判定された場合（ステップＳＣ−６：Ｎｏ）、本処理を終了する。
【０１６３】
この他、第３の実施形態においても、第１の実施形態と同様に、動作解析処理、照度評価処理、改善項目特定処理、改善計画生成処理、変更処理を実行可能である。これらの処理の詳細については、第１の実施形態では、端末装置１００で実行されている点が、第３の実施形態ではＢＩＭ装置４００で実行されている点以外は、基本的に同様であるため、説明を省略する。
【０１６４】
以上で、第３の実施形態におけるＢＩＭシステムの処理の一例の説明を終える。
【０１６５】
なお、第３の実施形態にかかるＢＩＭシステム（スタンドアロン型）においても、上述の第１の実施形態にかかるＢＩＭシステム（機能分散型）と同様の効果を奏する。
【０１６６】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１６７】
例えば、上述の実施形態では、昇降機としてエスカレータを例にして説明したが、エレベータ、動く歩道等の乗客コンベアについても同様に本発明を適用できる。
【０１６８】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１６９】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１７０】
また、端末装置１００、サーバ装置２００、および、ＢＩＭ装置４００に関して、図示の各構成要素は機能概念的なものであり、必ずしも物理的に図示の如く構成されていることを要しない。
【０１７１】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１７２】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１７３】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１７４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７５】
記憶部１０６、記憶部２０６、および、記憶部４０６に格納される各種のデータベース等（ＢＩＭモデルデータベース１０６ａ、環境情報データベース１０６ｂ、ヒトオブジェクト情報データベース１０６ｃ、パーツ情報データベース２０６ａ、ＢＩＭモデルデータベース２０６ｂ、環境情報データベース２０６ｃ、ヒトオブジェクト情報データベース２０６ｄ、パーツ情報データベース４０６ａ、ＢＩＭモデルデータベース４０６ｂ、環境情報データベース４０６ｃ、および、ヒトオブジェクト情報データベース４０６ｄ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１７６】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１７７】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１７８】
以上で説明した実施形態、変形例に係るＢＩＭシステム、サーバ装置、端末装置、方法およびプログラムによれば、その結果、昇降機の設備計画を提案する際、建築物に昇降機を組み込んだ状態を視覚的に分かりやすく表示することができる。
【０１７９】
［付記］
実施形態のＢＩＭシステムは、制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記建築物のＢＩＭモデルを記憶するＢＩＭモデル記憶手段と、前記ＢＩＭモデル内外の環境に影響を及ぼす環境情報を記憶する環境情報記憶手段と、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析手段と、を備え、前記画面生成手段は、前記環境解析手段によるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８０】
実施形態のサーバ装置は、表示部を少なくとも備えた端末装置に通信可能に接続された、制御部と記憶部とを少なくとも備えたサーバ装置であって、前記記憶部は、建築物のＢＩＭモデルに組込可能な昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記情報提供手段により前記サーバ装置から送信された前記ＢＩＭパーツが、前記建築物のＢＩＭモデルに組み込まれた統合ＢＩＭモデルが作成され、当該統合ＢＩＭモデルを含むレイアウト画面が生成され、当該レイアウト画面が前記表示部に表示され、前記レイアウト画面上で、前記ＢＩＭモデル内外の環境に影響を及ぼす環境オブジェクトに関する環境オブジェクト情報に基づいて、前記環境オブジェクトを変化させながら、前記統合ＢＩＭモデルの環境がシミュレーションされ、前記統合ＢＩＭモデルの環境のシミュレーション結果に基づいて、前記統合ＢＩＭモデル内の前記ＢＩＭパーツが表す前記昇降機の設置位置の周辺における採光環境および照明環境を含む前記レイアウト画面が生成されることを特徴とする。
【０１８１】
実施形態の端末装置は、サーバ装置に通信可能に接続された、制御部と記憶部と表示部とを少なくとも備えた端末装置であって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部は、前記サーバ装置において前記建築物のＢＩＭモデルに組込可能な昇降機のＢＩＭパーツを作成するためのパーツ情報を用いて作成される、前記端末装置から送信された作成条件に対応する前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、前記画面表示手段により表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析手段と、を備え、前記画面生成手段は、前記環境解析手段によるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８２】
実施形態の方法は、制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において実行される、利用者により入力される、作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析ステップと、を含み、前記画面生成ステップにおいて、前記環境解析ステップによるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８３】
実施形態の方法は、制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記建築物のＢＩＭモデルを記憶するＢＩＭモデル記憶手段と、前記ＢＩＭモデル内外の環境に影響を及ぼす環境情報を記憶する環境情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップ前記端末装置の前記制御部において実行される、前記統合モデリングステップにて作成された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、前記画面表示ステップにて表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析ステップと、を含み、前記画面生成ステップにおいて、前記環境解析ステップによるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８４】
実施形態の方法は、表示部を少なくとも備えた端末装置に通信可能に接続された、制御部と記憶部とを少なくとも備えたサーバ装置において実行される方法であって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記情報提供ステップにて前記サーバ装置から送信された前記ＢＩＭパーツが、前記建築物のＢＩＭモデルに組み込まれた統合ＢＩＭモデルが作成され、当該統合ＢＩＭモデルを含むレイアウト画面が生成され、当該レイアウト画面が前記表示部に表示され、前記レイアウト画面上で、前記ＢＩＭモデル内外の環境に影響を及ぼす環境オブジェクトに関する環境オブジェクト情報に基づいて、前記環境オブジェクトを変化させながら、前記統合ＢＩＭモデルの環境がシミュレーションされ、前記統合ＢＩＭモデルの環境のシミュレーション結果に基づいて、前記統合ＢＩＭモデル内の前記ＢＩＭパーツが表す前記昇降機の設置位置の周辺における採光環境および照明環境を含む前記レイアウト画面が生成されることを特徴とする。
【０１８５】
実施形態の方法は、サーバ装置に通信可能に接続された、制御部と記憶部と表示部とを少なくとも備えた端末装置において実行される方法であって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部において実行される、前記サーバ装置において前記建築物のＢＩＭモデルに組込可能な昇降機のＢＩＭパーツを作成するためのパーツ情報を用いて作成される、前記端末装置から送信された作成条件に対応する前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析ステップと、を含み、前記画面生成ステップにおいて、前記環境解析ステップによるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８６】
実施形態の方法は、制御部と記憶部とを少なくとも備えたサーバ装置、および、表示部を少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記端末装置へ送信して、当該端末装置の前記表示部に表示させるように制御する画面表示制御ステップと、前記画面表示制御ステップにて表示された前記レイアウト画面上で検出され前記サーバ装置へ送信される検出信号に応じて、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析ステップと、を含み、前記画面生成ステップにおいて、前記環境解析ステップによるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８７】
実施形態のプログラムは、制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内外の環境に影響を及ぼす環境情報を記憶する環境情報記憶手段と、を備え、前記制御部において、利用者により入力される、作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析ステップと、を実行させ、前記画面生成ステップにおいて、前記環境解析ステップによるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【０１８８】
実施形態のプログラムは、表示部を少なくとも備えた端末装置に通信可能に接続された、制御部と記憶部とを少なくとも備えたサーバ装置に実行させるためのプログラムであって、前記記憶部は、建築物のＢＩＭモデルに組込可能な昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記情報提供ステップにて前記サーバ装置から送信された前記ＢＩＭパーツが、前記建築物のＢＩＭモデルに組み込まれた統合ＢＩＭモデルが作成され、当該統合ＢＩＭモデルを含むレイアウト画面が生成され、当該レイアウト画面が前記表示部に表示され、前記レイアウト画面上で、前記ＢＩＭモデル内外の環境に影響を及ぼす環境オブジェクトに関する環境オブジェクト情報に基づいて、前記環境オブジェクトを変化させながら、前記統合ＢＩＭモデルの環境がシミュレーションされ、前記統合ＢＩＭモデルの環境のシミュレーション結果に基づいて、前記統合ＢＩＭモデル内の前記ＢＩＭパーツが表す前記昇降機の設置位置の周辺における採光環境および照明環境を含む前記レイアウト画面が生成されることを特徴とする。
【０１８９】
実施形態のプログラムは、サーバ装置に通信可能に接続された、制御部と記憶部と表示部とを少なくとも備えた端末装置に実行させるためのプログラムであって、前記記憶部は、建築物のＢＩＭモデルを記憶するＢＩＭモデル記憶手段と、前記ＢＩＭモデル内外の環境に影響を及ぼす環境情報を記憶する環境情報記憶手段と、を備え、前記制御部において、前記サーバ装置において前記建築物のＢＩＭモデルに組込可能な昇降機のＢＩＭパーツを作成するためのパーツ情報を用いて作成される、前記端末装置から送信された作成条件に対応する前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、前記画面表示ステップにて表示された前記レイアウト画面上で、前記環境情報記憶手段に記憶された前記環境情報に含まれる、前記ＢＩＭモデル内外の環境に影響を及ぼす環境オブジェクトに関する環境オブジェクト情報に基づいて、前記環境オブジェクトを変化させながら、前記統合ＢＩＭモデルの環境をシミュレーションする環境解析ステップと、を実行させ、前記画面生成ステップにおいて、前記環境解析ステップによるシミュレーション結果に基づいて、前記統合ＢＩＭモデル内の前記ＢＩＭパーツが表す前記昇降機の設置位置の周辺における採光環境および照明環境を含む前記レイアウト画面を生成することを特徴とする。
【符号の説明】
【０１９０】
１００  端末装置
１０２  制御部
１０２ａ  作成条件送信部
１０２ｂ  情報取得部
１０２ｃ  統合モデリング部
１０２ｄ  画面生成部
１０２ｅ  画面表示部
１０２ｆ  環境解析部
１０２ｇ  動作解析部
１０２ｈ  照度評価部
１０２ｉ  改善項目特定部
１０２ｊ  改善計画生成部
１０２ｋ  変更部
１０４  通信制御インターフェース部
１０６  記憶部
１０６ａ  ＢＩＭモデルデータベース
１０６ｂ  環境情報データベース
１０６ｃ  ヒトオブジェクト情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  画面生成部
２０２ｆ  画面表示制御部
２０２ｇ  環境解析部
２０２ｈ  動作解析部
２０２ｉ  照度評価部
２０２ｊ  改善項目特定部
２０２ｋ  改善計画生成部
２０２ｍ  変更部
２０４  通信制御インターフェース部
２０６  記憶部
２０６ａ  パーツ情報データベース
２０６ｂ  ＢＩＭモデルデータベース
２０６ｃ  環境情報データベース
２０６ｄ  ヒトオブジェクト情報データベース
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  環境解析部
４０２ｇ  動作解析部
４０２ｈ  照度評価部
４０２ｉ  改善項目特定部
４０２ｊ  改善計画生成部
４０２ｋ  変更部
４０６  記憶部
４０６ａ  パーツ情報データベース
４０６ｂ  ＢＩＭモデルデータベース
４０６ｃ  環境情報データベース
４０６ｄ  ヒトオブジェクト情報データベース
４０８  入出力制御インターフェース部
４１４  表示部
４１６  音声出力部
４１８  入力部
【図１】
0005619125.tif 000002
【図２】
0005619125.tif 000003
【図３】
0005619125.tif 000004
【図４】
0005619125.tif 000005
【図５】
0005619125.tif 000006
【図６】
0005619125.tif 000007
【図７】
0005619125.tif 000008
【図８】
0005619125.tif 000009
【図９】
0005619125.tif 000010
【図１０】
0005619125.tif 000011
【図１１】
0005619125.tif 000012
【図１２】
0005619125.tif 000013
【図１３】
0005619125.tif 000014
【図１４】
0005619125.tif 000015
【図１５】
0005619125.tif 000016
【図１６】
0005619125.tif 000017
【図１７】
0005619125.tif 000018
【図１８】
0005619125.tif 000019